(57)【要約】【課題】盆体が容易に設置され、構造が堅固で破裂し難い効果が得られる盆体構造を提供する。【解決手段】槽体と排出口金具及び給水ユニットが含有され、槽体に下へ凹む貯水区があり、当該貯水区の中央に当該槽体を貫通する排水口があり、当該槽体の底面に平面部があり、そして、貯水区の深さが比較的に浅く、排出口金具が可動的に排水口に設置され、排出口金具に柱体と比較的に大きい蓋板とが含有され、また、給水ユニットに給水口があり、当該給水口が排出口金具の端面に位置する蓋板に対応する。【選択図】図２
0003139502.tif 000002
【実用新案登録請求の範囲】
【請求項１】
下へ凹む貯水区があり、当該貯水区の中央に貫通する排水口が設けられ、底面が平面部であり、深さが幅の１／５より小さい槽体と、可動的に上記の排水口に設置された柱体と、当該柱体の一端に設けられた蓋板とが含有される排出口金具と、排出口金具の端面の蓋板に対応する給水口を有する給水ユニットが含有されることを特徴とする、盆体構造。
【請求項２】
当該槽体が、立方体や円柱体であるフロック体であることを特徴とする、請求項１に記載の盆体構造。
【請求項３】
当該槽体構造が、ステンレスやセラミック、エナメル、ガラス及び黒鉛等の構造からなる群から選択された何れかの一つから構成されることを特徴とする、請求項１に記載の盆体構造。
【考案の詳細な説明】
【技術分野】
【０００１】
本考案は、盆体構造に関し、特に、容易に設置され、構造が堅固で、破裂し難い効果が得られる盆体に関する。
【背景技術】
【０００２】
一般の従来の盆体は、例えば、手洗い水槽であり、一般としてセラミック材からなる円弧本体があり、当該円弧本体は凹み槽を有し、当該凹み槽は排水口があり、当該排水口は排出口金具や栓子が設けられ、設置する時、当該円弧本体は、固定構造に合わせて壁面に固設され、当該凹み槽は水栓の給水口に対応し、排水管体が連接され、そして、当該円弧本体の底部に支持のための支持フレームが設置され、これにより、必要な位置に安定的に設置され、ユーザーがそれで貯水できる。
【０００３】
上記の従来の盆体は、必要な位置に貯水のために設置されることができるが、設置する時、当該固定構造に合わせて当該壁面に固設され、また、当該円弧本体の底部が支持フレームによって支持されて、設置工程が複雑で、そして、その凹み槽の深さが比較的に深いため、背の低い子供であれば、円弧本体の周縁に寄掛かることにより、当該円弧本体に、長期に、下へ押えられる外力が印加され、それにより、当該円弧本体の固定構造と当該底部の支持フレームとが弛む恐れがあり、上記の現象が更に続けて発生する場合、当該円弧本体が落下してユーザーに傷付く恐れがある。また、当該凹み槽の深さが比較的に深いため、物体が高いところから落ちる時、物体の重力加速度による強大な衝撃力により、当該凹み槽の一部が、当該衝撃力を耐えられないため破裂する恐れがある。そのため、一般の従来のものは実用的とは言えない。
【考案の開示】
【考案が解決しようとする課題】
【０００４】
本考案の主な目的は、容易に設置され、構造が堅固で、破裂し難い効果が得られる盆体を提供する。
【課題を解決するための手段】
【０００５】
請求項１の考案は、下へ凹む貯水区があり、当該貯水区の中央に貫通する排水口が設けられ、底面が平面部であり、深さが幅の１／５より小さい槽体と、可動的に上記の排水口に設置された柱体と、当該柱体の一端に設けられた蓋板とが含有される排出口金具と、排出口金具の端面の蓋板に対応する給水口を有する給水ユニットが含有されることを特徴とする、盆体構造である。
【０００６】
請求項２の考案は、当該槽体が立方体や円柱体であるフロック体であることを特徴とする、請求項１に記載の盆体構造である。
【０００７】
請求項３の考案は、当該槽体構造が、ステンレスやセラミック、エナメル、ガラス及び黒鉛等の構造からなる群から、選択された何れかの一つから構成されることを特徴とする、請求項１に記載の盆体構造である。
【考案を実施するための最良の形態】
【０００８】
図１と２は、それぞれ、本考案の立体外観概念図と本考案の断面状態概念図である。本考案は、図のように盆体構造であり、少なくとも、槽体１と排出口金具２及び給水ユニット３から構成され、当該盆体は容易に設置され、構造が堅固で、破裂し難い効果が得られる。
【０００９】
上記の槽体１は、立方体や円柱体であるフロック体であり、ステンレスやセラミック、エナメル、ガラス及び黒鉛等の構造から構成され、また、下へ凹む貯水区１１と当該貯水区１１の中央を貫通する排水口１２とが含有され、当該槽体１の底面に平面部１３があり、当該貯水区の深さ１４が幅１５の１／５より小さい。
【００１０】
当該排出口金具２は、可動的に上記の排水口１２に設置された柱体２１と、当該柱体２１の一端に設置された蓋板２２とが含有され、当該柱体２１に弾性素子２３が嵌設され、当該弾性素子２３の一端が当該排水口１２の底部に抵当し、当該蓋板２２の表面２２１に突出円弧部や平面部或いは凹み円弧部があり、当該排出口金具の蓋板の表面積が、当該給水口により供給された水柱の断面積の２倍以上である。
【００１１】
当該給水ユニット３は、当該排出口金具２の一端に位置する蓋板２２の上方に対応する給水口３１が含有される。上記の構造により新規な盆体構造が構成される。
【００１２】
図３と４は、それぞれ、本考案の使用状態概念図と本考案の使用状態断面概念図である。図のように、本考案を利用する時、槽体１を平台４に設置し、当該槽体１の底面の平面部１３が当該平台４の一面に接触し、また、当該槽体１の排水口１２を、対応する当該平台４の排水管４１に連接することにより、当該槽体１が容易に設置され、また、当該平台４により支持された当該槽体１が設置された後、他の支持フレームや固定構造による支持を必要せず、より安定的である。
【００１３】
本考案に係わる給水ユニット３は、建物管路の設計により、直接に壁面５に設置されるか、当該槽体１の周縁に設置され（図に未表示）、当該給水ユニット３が当該壁面５や当該槽体１の周縁に設置されても、当該給水ユニット３の給水口３１が、排出口金具２の一端の蓋板２２の上方に対応するように設置され、また、本考案に係わる排出口金具２の端面にある蓋板２２の外径が、一般の排出口金具の蓋板より大きくなり、また、当該排出口金具２が押されると反発するような方式により、その蓋板２２で当該排水口１２を開閉する。
【００１４】
ユーザーが当該給水ユニット３をオープンすると、水が当該給水口３１から流出して、直接に当該排出口金具２の一端にある蓋板２２の突出円弧部２２１に衝撃し、当該排出口金具２の蓋板２２により、水の衝撃力が緩和されて、水が当該槽体１の貯水区１１以外に飛散することがなく、また、当該排出口金具２と当該排水口１２との間に位置する弾性素子２３により、水が当該蓋板２２に衝撃する時、当該排出口金具２が、当該排水口１２において予めに設定された上下移動を行い、そのため、当該蓋板２２により、より良い緩和効果が得られ、また、ユーザーが水を使用する時、当該槽体１の貯水区１１の深さが比較的に浅いことにより、水に濡れられることを防止できる。また、本考案に係わる槽体１の貯水区１１の深さが比較的に浅いため、物体が高いところから落下する時、当該貯水区１１の下へ凹む面が比較的に浅くて、当該物体による衝撃力が小さくなり、当該貯水区１１により、当該衝撃力を分散して中和する効果が得られる。
【００１５】
図５は、本考案の他の使用状態断面概念図である。図のように、本考案に係わる排出口金具２は、柱体２１に更に連動ユニット２４が設けられ、当該連動ユニット２４は、当該柱体２１の底端に設置されるコネクティングロッド２４１と、当該コネクティングロッド２４１に枢着される直棒２４２とが含有され、当該直棒２４２が槽体１の周縁や平台４の適当な位置に設置され（図に未表示）、これによりユーザーが当該直棒２４２で当該コネクティングロッド２４１を駆動することにより、当該排出口金具２の柱体２１が連動されて、そのため、当該排出口金具２の蓋板２２により、貯水区１１に設けられた排水口１２を開閉できる。
【００１６】
以上のように、本考案に係わる盆体構造によれば、有効的に従来の諸欠点を改善でき、盆体が容易に設置され、構造が堅固で、破裂し難い効果が得られ、そのため、本考案はより進歩的且つより実用的であり、法に従って実用新案登録請求を出願する。
【００１７】
以上は、ただ、本考案のより良い実施例であり、本考案はそれによって制限されることがなく、また、本考案に係わる実用新案登録請求の範囲や明細書の内容に基づいて行った等価の変更や修正は、全てが本考案に係わる実用新案登録請求の範囲内に含まれる。
【図面の簡単な説明】
【００１８】
【図１】本考案の立体外観概念図
【図２】本考案の断面状態概念図
【図３】本考案の使用状態概念図
【図４】本考案の使用状態断面概念図
【図５】本考案の他の使用状態断面概念図
【符号の説明】
【００１９】
１        槽体
１１      貯水区
１２      排水口
１３      平面部
１４      貯水区の深さ
１５      槽体幅
２        排出口金具
２１      柱体
２２      蓋板
２２１    突出円弧部
２３      弾性素子
２４      連動ユニット
２４１    コネクティングロッド
２４２    直棒
３        給水ユニット
３１      給水口
４        平台
４１      排水管
５        壁面
【図１】
0003139502.tif 000003
【図２】
0003139502.tif 000004
【図３】
0003139502.tif 000005
【図４】
0003139502.tif 000006
【図５】
0003139502.tif 000007